(57)【要約】      （修正有）【課題】鉄骨建物Ｐ柱（間柱）用アンカーボルトの設置を簡素化し、経済的、時間的問題を解決するアンカーボルト設置器具を提供する。【解決手段】厚さ３．２ｍｍの鋼板で作製した長辺方向に長穴を有する２枚のＴ字型のＡ本体１と、長辺方向に長穴を有し直径８ｍｍの穴を１個有する１枚のＩ字型のＢ本体２と、直径８ｍｍの穴を１個有する１枚の固定プレート３と、直径１４ｍｍの穴を１個有する２枚のボルト設置プレートと、直径１８ｍｍの穴を１個有する２枚のボルト設置プレートと、直径２２ｍｍの穴を１個有する２枚のボルト設置プレートを用いて、２枚のＡ本体をＨ型に組合せ、設計上のボルト設置位置に固定プレートで固定し、ボルト径とボルト設置幅に合わせてボルト設置プレートを予め装着したＢ本体を柱芯位置にＡ本体に十字型に設置する。３種類のアンカーボルトを縦横方向の位置を自在に設置出来る。【選択図】図１
0003220635.tif 000002
【実用新案登録請求の範囲】
【請求項１】
この器具は、複数回使用可能で、最も使用不可になりやすいネジ部は安価な市販ネジと取換え可能である。通常廃棄する使用材料は、釘Ｎ４５−８本、ガチャ玉−４個のみである。従来より設置時間が短縮可能となる。コンクリート天端に設置することにより、設置位置の精度を５ｍｍ以内にすることが可能となる。ボルトＭ１３〜Ｍ１９に対応し、設置ヵ所の梁幅にも３００ｍｍ〜５００ｍｍに対応可能な鉄骨建物Ｐ柱（間柱）用アンカーボルト設置器具。
【考案の詳細な説明】
【技術分野】
【０００１】  本考案は鉄骨建物Ｐ柱（間柱）用アンカーボルトを短時間で設置できる設置器具に関するものである。
【背景技術】
【０００２】  Ｐ柱（間柱）用アンカーボルトの設置時の施工方法として、テンプレート、桟木、コンパネ等を使用し、さまざまな設置方法で施工しているが、材料費、人員、施工時間は、いずれも多大にかかっている。また、鉄骨建て方の墨だし前に器具を撤去する必要があるため一工程余分にかかる。また設置高さによっては、設置位置の精度に問題がある。
【考案の概要】
【考案が解決しようとする課題】
【０００３】  Ｐ柱（間柱）用アンカーボルトの設置方法は確定しておらず、さまざまな工法、器具の使用で施工しているが、いずれも材料を一回限りの使用で破棄し、施工時間も個人差によって異なるが概ね長時間かかっている。そのため、経済的、時間的、労働的に不経済である。また設置方法によっては設置位置の精度に欠け、墨だし前の撤去作業が余分である。この設置器具を使用することにより、それらを解消するものである。
【課題を解決するための手段】
【０００４】  本考案は、複数回使用可能で、最も使用不可になりやすいネジ部は安価な市販ネジと取換え可能である。通常廃棄する使用材料は、釘Ｎ４５−８本、ガチャ玉−４個のみである。設置時間は個人差はあるが、従来より短縮可能である。コンクリート天端に設置することにより、設置位置の精度を５ｍｍ以内にすることが可能になる。なおかつ墨だし前の撤去作業も省略可能である。ボルトＭ１３〜Ｍ１９対応。設置箇所の梁幅には３００ｍｍ〜５００ｍｍに対応。これにより問題点を解決している。
【考案の効果】
【０００５】  上述のように、本考案の鉄骨建物Ｐ柱（間柱）用アンカーボルト設置器具を使用することにより、材料費等経済的な問題を解決でき、なおかつ現場の工程短縮にもつながる。
【図面の簡単な説明】
【０００６】
【図１】本考案の組立図である。
【図２】本考案の部材図である。
【考案を実施するための形態】
【０００７】  本体Ｂ２に予めボルト設置プレート４〜６（ボルト径により使い分ける）をガチャ玉７で装着する。本体Ａ１を所定の位置に釘で固定し、本体Ａ１を固定プレート３で固定する。本体Ｂ２を本体Ａ１の所定の位置にボルト固定をする。指定のアンカーボルトを下から差し込み高さ調整をし完成させる。
【実施例】
【０００８】  以下、添付図面に従って一実施例を説明する。鋼板素材はすべて３．２ｍｍで構成されており、それぞれを所定の位置で組み立てることによりアンカーボルトを設置できる。本体Ａ１は梁幅３００ｍｍ〜５００ｍｍに設置可能である。本体Ａ１をアンカー設置位置にコンクリート天端に合わせて釘で固定し固定プレート３で２枚を固定する。本体Ｂ２に予めボルト設置プレート４〜６を所定の位置にガチャ玉７で固定しておき、本体Ｂ２を本体Ａ１にピッチに合わせてボルト固定する。下からアンカーボルトを装着すれば完成となる。
【産業上の利用可能性】
【０００９】建設現場の基礎工事のアンカーセットに利用可能である。
【符号の説明】
【００１０】  １  本体Ａ
２  本体Ｂ
３  固定プレート
４  ボルト設置プレート（Ｍ１３用）
５  ボルト設置プレート（Ｍ１６用）
６  ボルト設置プレート（Ｍ１９用）
７  ガチャ玉
８  ボルトＭ６
９  ナットＭ６
１０  ワッシャＭ６
１１  ワッシャＭ１２
【図１】
0003220635.tif 000003
【図２】
0003220635.tif 000004
【手続補正書】
【提出日】平成30年10月25日(2018.10.25)
【手続補正１】
【補正対象書類名】実用新案登録請求の範囲
【補正対象項目名】全文
【補正方法】変更
【補正の内容】
【実用新案登録請求の範囲】
【請求項１】
３．２ｍｍの鋼板で作製した長辺方向に長穴を有する２枚のＴ字型の本体Ａと、長辺方向に長穴を有し直径８ｍｍの穴を１個有する１枚のＩ字型の本体Ｂと、直径８ｍｍの穴を１個有する１枚の固定プレートと、直径１４ｍｍの穴を１個有する２枚のボルト設置プレートと、直径１８ｍｍの穴を１個有する２枚のボルト設置プレートと、直径２２ｍｍの穴を１個有する２枚のボルト設置プレートを備え、それらのボルト設置プレートを組み合わせることにより、３種類のアンカーボルトを縦横方向の位置を自在に設置出来ることを特徴とする鉄骨建物Ｐ柱（間柱）用アンカーボルト設置器具。
【手続補正２】
【補正対象書類名】明細書
【補正対象項目名】全文
【補正方法】変更
【補正の内容】
【考案の詳細な説明】
【技術分野】
【０００１】  本考案は鉄骨建物Ｐ柱（間柱）用アンカーボルトを短時間で設置できる設置器具に関するものである。
【背景技術】
【０００２】  Ｐ柱（間柱）用アンカーボルトの設置時の施工方法として、テンプレート、桟木、コンパネ等を使用し、さまざまな設置方法で施工しているが、材料費、人員、施工時間は、いずれも多大にかかっている。また、鉄骨建て方の墨だし前に器具を撤去する必要があるため一工程余分にかかる。また設置高さによっては、設置位置の精度に問題がある。
【考案の概要】
【考案が解決しようとする課題】
【０００３】  Ｐ柱（間柱）用アンカーボルトの設置方法は確定しておらず、さまざまな工法、器具の使用で施工しているが、いずれも材料を一回限りの使用で破棄し、施工時間も個人差によって異なるが概ね長時間かかっている。そのため、経済的、時間的、労働的に不経済である。また設置方法によっては設置位置の精度に欠け、墨だし前の撤去作業が余分である。この設置器具を使用することにより、それらを解消するものである。
【課題を解決するための手段】
【０００４】  本考案は、複数回使用可能で、最も使用不可になりやすいネジ部は安価な市販ネジと取換え可能である。通常廃棄する使用材料は、釘Ｎ４５−８本、ガチャ玉−４個のみである。設置時間は個人差はあるが、従来より短縮可能である。コンクリート天端に設置することにより、設置位置の精度を５ｍｍ以内にすることが可能になる。なおかつ墨だし前の撤去作業も省略可能である。ボルト径により使い分ける。設置箇所の梁幅には３００ｍｍ〜５００ｍｍに対応。これにより問題点を解決している。
【考案の効果】
【０００５】  上述のように、本考案の鉄骨建物Ｐ柱（間柱）用アンカーボルト設置器具を使用することにより、材料費等経済的な問題を解決でき、なおかつ現場の工程短縮にもつながる。
【図面の簡単な説明】
【０００６】
【図１】本考案の組立図である。
【図２】本考案の部材図である。
【考案を実施するための形態】
【０００７】  図１に示すように、長辺方向に長穴を有する２枚のＴ字型の本体Ａ、長辺方向に長穴を有し直径８ｍｍの穴を有する１枚のＩ字型の本体Ｂ、直径８ｍｍの穴を有する１枚の固定プレート、直径１４ｍｍ、直径１８ｍｍ、直径２２ｍｍの穴を有するそれぞれ各２枚のボルト設置プレートにより構成される。本体Ｂ２に予めボルト設置プレート４〜６（ボルト径により使い分ける）をガチャ玉７で装着する。本体Ａ１を所定の位置に釘で固定し、本体Ａ１を固定プレート３で固定する。本体Ｂ２を本体Ａ１の所定の位置にボルト固定をする。指定のアンカーボルトを下から差し込み高さ調整をして完成させる。
【実施例】
【０００８】  以下、添付図面に従って一実施例を説明する。鋼板素材はすべて３．２ｍｍで構成されており、それぞれを所定の位置で組み立てることによりアンカーボルトを設置できる。本体Ａ１は梁幅３００ｍｍ〜５００ｍｍに設置可能である。本体Ａ１をアンカー設置位置にコンクリート天端に合わせて釘で固定し固定プレート３で２枚を固定する。本体Ｂ２に予めボルト設置プレート４〜６を所定の位置にガチャ玉７で固定しておき、本体Ｂ２を本体Ａ１にピッチに合わせてボルト固定する。下からアンカーボルトを装着すれば完成となる。
【産業上の利用可能性】
【０００９】建設現場の基礎工事のアンカーセットに利用可能である。
【符号の説明】
【００１０】  １  本体Ａ
２  本体Ｂ
３  固定プレート
４  ボルト設置プレート（Φ１４）
５  ボルト設置プレート（Φ１８）
６  ボルト設置プレート（Φ２２）
７  ガチャ玉
８  ボルトＭ６
９  ナットＭ６
１０  ワッシャＭ６
１１  ワッシャＭ１２
【手続補正書】
【提出日】平成31年1月8日(2019.1.8)
【手続補正１】
【補正対象書類名】実用新案登録請求の範囲
【補正対象項目名】全文
【補正方法】変更
【補正の内容】
【実用新案登録請求の範囲】
【請求項１】
厚さ３．２ｍｍの鋼板で作製した長辺方向に長穴を有する２枚のＴ字型の本体Ａと、長辺方向に長穴を有し直径８ｍｍの穴を１個有する１枚のＩ字型の本体Ｂと、直径８ｍｍの穴を１個有する１枚の固定プレートと、直径１４ｍｍの穴を１個有する２枚のボルト設置プレートと、直径１８ｍｍの穴を１個有する２枚のボルト設置プレートと、直径２２ｍｍの穴を１個有する２枚のボルト設置プレートを用いて、２枚の本体ＡをＨ型に組合せ、設計上のボルト設置位置に取り付け固定プレートで固定し、ボルト径とボルト設置幅に合わせてボルト設置プレートを予め装着した本体Ｂを柱芯位置に本体Ａに十字型に設置することにより３種類のアンカーボルトを縦横方向の位置を自在に設置出来ることを特徴とする鉄骨建物Ｐ柱（間柱）用アンカーボルト設置器具。